(57)【要約】【課題】  像担持体、中間転写体または記録材搬送ベルトの表面の汚れにより白スジなどの発生を抑止し、良好な可視画像が得られる画像形成装置の提供。【解決手段】  像担持体上にトナー像を形成するトナー像形成手段と、像担持体上のトナー像を記録材に転写する転写ローラを有する転写手段とを具え、転写ローラは、研磨性微粒子が含有されてなる最外層を有する。また、像担持体上に形成したトナー像を中間転写体に転写する１次転写ローラを有する１次転写手段と、中間転写体上のトナー像を記録材に転写する２次転写手段とを具え、１次転写ローラは、研磨性微粒子が含有されてなる最外層を有する。さらに、像担持体上にトナー像を形成するトナー像形成手段と、無端状の記録材搬送ベルトにより搬送された記録材にトナー像を転写する転写ローラを有する転写手段とを具え、転写ローラは、研磨性微粒子が含有されてなる最外層を有する。【選択図】  なし 【特許請求の範囲】
【請求項１】
像担持体と、この像担持体上にトナー像を形成するトナー像形成手段と、像担持体に押圧され、当該像担持体上に形成されたトナー像を記録材に転写する転写ローラおよびこの転写ローラに転写電流を供給する転写電流供給装置を有する転写手段とを具えてなり、
転写手段の転写ローラは、導電性を有する弾性体に研磨性微粒子が含有されてなる最外層を有することを特徴とする画像形成装置。
【請求項２】
転写ローラの表面に付着した付着物を除去する付着物除去機構が、当該転写ローラの表面における像担持体との当接位置よりも下流側において接触するよう設けられていることを特徴とする請求項１に記載の画像形成装置。
【請求項３】
像担持体と、この像担持体上にトナー像を形成するトナー像形成手段と、無端状の中間転写体を介して像担持体に押圧され、当該像担持体上に形成されたトナー像を前記中間転写体に転写する１次転写ローラおよびこの１次転写ローラに転写電流を供給する転写電流供給装置を有する１次転写手段と、中間転写体上に転写されたトナー像を記録材に転写する２次転写手段とを具えてなり、
１次転写手段の１次転写ローラは、導電性を有する弾性体に研磨性微粒子が含有されてなる最外層を有することを特徴とする画像形成装置。
【請求項４】
１次転写ローラの表面に付着した付着物を除去する付着物除去機構が、当該１次転写ローラの表面における中間転写体との当接位置よりも下流側において接触するよう設けられていることを特徴とする請求項３に記載の画像形成装置。
【請求項５】
像担持体と、この像担持体上にトナー像を形成するトナー像形成手段と、像担持体上に形成されたトナー像を無端状の中間転写体に転写する１次転写手段と、中間転写体上に転写されたトナー像を記録材に転写する２次転写ローラ、中間転写体を介して２次転写ローラに押圧されるよう設けられたバックアップローラおよび２次転写ローラに転写電流を供給する転写電流供給装置を有する２次転写手段とを具えてなり、
２次転写手段のバックアップローラは、導電性を有する弾性体に研磨性微粒子が含有されてなる最外層を有することを特徴とする画像形成装置。
【請求項６】
バックアップローラの表面に付着した付着物を除去する付着物除去機構が、当該バックアップローラの表面における中間転写体との当接位置よりも下流側において接触するよう設けられていることを特徴とする請求項５に記載の画像形成装置。
【請求項７】
像担持体と、この像担持体上にトナー像を形成するトナー像形成手段と、像担持体上に形成されたトナー像を無端状の中間転写体に転写する１次転写手段と、中間転写体上に転写されたトナー像を記録材に転写する２次転写ローラ、中間転写体を介して２次転写ローラに押圧されるよう設けられたバックアップローラおよび２次転写ローラに転写電流を供給する転写電流供給装置を有する２次転写手段とを具えてなり、
２次転写手段の２次転写ローラは、導電性を有する弾性体に研磨性微粒子が含有されてなる最外層を有することを特徴とする画像形成装置。
【請求項８】
２次転写ローラの表面に付着した付着物を除去する付着物除去機構が、当該２次転写ローラの表面における中間転写体との当接位置よりも下流側において接触するよう設けられていることを特徴とする請求項７に記載の画像形成装置。
【請求項９】
像担持体と、この像担持体上にトナー像を形成するトナー像形成手段と、像担持体に接触するよう設けられた、記録材を搬送する無端状の記録材搬送ベルトと、この記録材搬送ベルトを介して像担持体に押圧され、当該像担持体上に形成されたトナー像を記録材に転写する転写ローラおよびこの転写ローラに転写電流を供給する転写電流供給装置を有する転写手段とを具えてなり、
転写手段の転写ローラは、導電性を有する弾性体に研磨性微粒子が含有されてなる最外層を有することを特徴とする画像形成装置。
【請求項１０】
転写ローラの表面に付着した付着物を除去する付着物除去機構が、当該押圧ローラの表面における記録材搬送ベルトとの当接位置よりも下流側において接触するよう設けられていることを特徴とする請求項９に記載の画像形成装置。
【請求項１１】
像担持体と、この像担持体上にトナー像を形成するトナー像形成手段と、像担持体に接触するよう設けられた、記録材を搬送する無端状の記録材搬送ベルトと、この記録材搬送ベルトを介して像担持体に押圧され、当該像担持体上に形成されたトナー像を記録材に転写する転写ローラおよびこの転写ローラに転写電流を供給する転写電流供給装置を有する転写手段と、記録材搬送ベルトを駆動する駆動ローラおよび記録材搬送ベルトを介して駆動ローラに押圧されるよう設けられた押圧ローラを有する駆動機構とを具えてなり、
駆動ローラは、導電性を有する弾性体に研磨性微粒子が含有されてなる最外層を有することを特徴とする画像形成装置。
【請求項１２】
駆動ローラの表面に付着した付着物を除去する付着物除去機構が、当該駆動ローラの表面における記録材搬送ベルトとの当接位置よりも下流側において接触するよう設けられていることを特徴とする請求項１１に記載の画像形成装置。
【請求項１３】
像担持体と、この像担持体上にトナー像を形成するトナー像形成手段と、像担持体に接触するよう設けられた、記録材を搬送する無端状の記録材搬送ベルトと、この記録材搬送ベルトを介して像担持体に押圧され、当該像担持体上に形成されたトナー像を記録材に転写する転写ローラおよびこの転写ローラに転写電流を供給する転写電流供給装置を有する転写手段と、記録材搬送ベルトを駆動する駆動ローラおよび記録材搬送ベルトを介して駆動ローラに押圧されるよう設けられた押圧ローラを有する駆動機構とを具えてなり、
押圧ローラは、導電性を有する弾性体に研磨性微粒子が含有されてなる最外層を有することを特徴とする画像形成装置。
【請求項１４】
押圧ローラの表面に付着した付着物を除去する付着物除去機構が、当該押圧ローラの表面における記録材搬送ベルトとの当接位置よりも下流側において接触するよう設けられていることを特徴とする請求項１３に記載の画像形成装置。
【請求項１５】
像担持体の表面に潤滑剤を塗布するブラシローラを有する潤滑剤塗布手段を具えてなることを特徴とする請求項１〜請求項１４のいずれかに記載の画像形成装置。
【請求項１６】
トナーにはワックスが含有されていることを特徴とする請求項１〜請求項１５のいずれかに記載の画像形成装置。
【発明の詳細な説明】
【技術分野】
【０００１】
本発明は、電子写真方式による画像形成装置に関する。
【背景技術】
【０００２】
例えば、複写機、プリンタなどにおいて用いられる電子写真方式による画像形成方法においては、通常、回転されるドラム状の感光体よりなる像担持体の表面に形成されたトナー像を、直接に、あるいは中間転写体を介して記録材に転写させ、当該記録材上において定着させることにより、目的とする可視画像が形成される。
【０００３】
トナー像を転写するための転写手段としては、像担持体や中間転写体に押圧された状態で設けられた転写ローラと、この転写ローラに接続された、例えば定電流電源よりなる転写電流供給装置とにより構成されたものが用いられており、転写工程においては、転写電流供給装置より供給される適宜の大きさの転写電流を転写ローラに供給して中間転写体または記録材にトナー像を転写する、いわゆる接触転写方式が用いられている。
【０００４】
転写されるトナー像を形成するためのトナーは、通常、樹脂粒子、顔料およびワックスなどの離型剤よりなる母体、および外添剤を混合したものからなり、外添剤はシリカやチタニアなどの帯電付与を行う研磨性微粒子や滑剤からなるものであるが、上記のような画像形成装置においては、トナーを構成するワックスや滑剤などの成分の一部、さらに潤滑剤塗布手段を有する画像形成装置においては当該潤滑剤の成分の一部が像担持体の表面に付着してしまい、この付着物がクリーニング装置を構成するゴムブレードによって十分に除去されずに、このゴムブレードが移動することにより引き伸ばされて像担持体の表面において周方向にスジ状に伸びた状態で薄い膜（フィルミング層）が形成されてしまう、いわゆるフィルミング現象が発生することがある。
【０００５】
フィルミング現象が発生すると、転写工程において供給される電荷は、像担持体の表面におけるフィルミング層が形成された領域以外の領域に流れやすいために、転写工程においてフィルミング層が形成された領域上に形成されたトナー像が記録材に転写されにくくなり、その結果、形成される可視画像において当該領域に対応した個所において白スジとして表れてしまう。
【０００６】
また、記録材搬送ベルトを用いる方式の画像形成装置においては、記録材として用いられる紙に由来する紙粉や糊料などの汚れが当該記録材搬送ベルトの外周面に付着したり、また、記録材搬送ベルトの内周面においては、画像形成装置内部のホコリなどの汚れが経時的に付着したりするが、転写工程において供給される電荷は、記録材搬送ベルトにおけるこのような汚れが付着した領域以外の領域に流れやすいために、転写工程において汚れが付着した領域に形成されたトナー像が記録材に転写されにくくなり、このような転写されにくい領域が、形成される可視画像において白スジとして表れてしまう。
【発明の開示】
【発明が解決しようとする課題】
【０００７】
本発明は、以上のような事情に基づいてなされたものであって、その目的は、像担持体の表面の汚れによって白スジなどの画像欠陥が発生することを抑止し、良好な可視画像を得ることができる画像形成装置を提供することにある。
また、本発明の他の目的は、中間転写体の外周面または内周面の汚れによって白スジなどの画像欠陥が発生することを抑止し、良好な可視画像を得ることができる画像形成装置を提供することにある。
また、本発明の更に他の目的は、記録材搬送ベルトの外周面または内周面の汚れによって白スジなどの画像欠陥が発生することを抑止し、良好な可視画像を得ることができる画像形成装置を提供することにある。
【課題を解決するための手段】
【０００８】
本発明の画像形成装置は、像担持体と、この像担持体上にトナー像を形成するトナー像形成手段と、像担持体に押圧され、当該像担持体上に形成されたトナー像を記録材に転写する転写ローラおよびこの転写ローラに転写電流を供給する転写電流供給装置を有する転写手段とを具えてなり、
転写手段の転写ローラは、導電性を有する弾性体に研磨性微粒子が含有されてなる最外層を有することを特徴とする。
この画像形成装置においては、転写ローラの表面に付着した付着物を除去する付着物除去機構が、当該転写ローラの表面における像担持体との当接位置よりも下流側において接触するよう設けられている構成とすることができる
【０００９】
本発明の画像形成装置は、像担持体と、この像担持体上にトナー像を形成するトナー像形成手段と、無端状の中間転写体を介して像担持体に押圧され、当該像担持体上に形成されたトナー像を前記中間転写体に転写する１次転写ローラおよびこの１次転写ローラに転写電流を供給する転写電流供給装置を有する１次転写手段と、中間転写体上に転写されたトナー像を記録材に転写する２次転写手段とを具えてなり、
１次転写手段の１次転写ローラは、導電性を有する弾性体に研磨性微粒子が含有されてなる最外層を有することを特徴とする。
この画像形成装置においては、１次転写ローラの表面に付着した付着物を除去する付着物除去機構が、当該１次転写ローラの表面における中間転写体との当接位置よりも下流側において接触するよう設けられている構成とすることができる。
【００１０】
本発明の画像形成装置は、像担持体と、この像担持体上にトナー像を形成するトナー像形成手段と、像担持体上に形成されたトナー像を無端状の中間転写体に転写する１次転写手段と、中間転写体上に転写されたトナー像を記録材に転写する２次転写ローラ、中間転写体を介して２次転写ローラに押圧されるよう設けられたバックアップローラおよび２次転写ローラに転写電流を供給する転写電流供給装置を有する２次転写手段とを具えてなり、
２次転写手段のバックアップローラは、導電性を有する弾性体に研磨性微粒子が含有されてなる最外層を有することを特徴とする。
この画像形成装置においては、バックアップローラの表面に付着した付着物を除去する付着物除去機構が、当該バックアップローラの表面における中間転写体との当接位置よりも下流側において接触するよう設けられている構成とすることができる。
【００１１】
本発明の画像形成装置は、像担持体と、この像担持体上にトナー像を形成するトナー像形成手段と、像担持体上に形成されたトナー像を無端状の中間転写体に転写する１次転写手段と、中間転写体上に転写されたトナー像を記録材に転写する２次転写ローラ、中間転写体を介して２次転写ローラに押圧されるよう設けられたバックアップローラおよび２次転写ローラに転写電流を供給する転写電流供給装置を有する２次転写手段とを具えてなり、
２次転写手段の２次転写ローラは、導電性を有する弾性体に研磨性微粒子が含有されてなる最外層を有することを特徴とする。
この画像形成装置においては、２次転写ローラの表面に付着した付着物を除去する付着物除去機構が、当該２次転写ローラの表面における中間転写体との当接位置よりも下流側において接触するよう設けられている構成とすることができる。
【００１２】
本発明の画像形成装置は、像担持体と、この像担持体上にトナー像を形成するトナー像形成手段と、像担持体に接触するよう設けられた、記録材を搬送する無端状の記録材搬送ベルトと、この記録材搬送ベルトを介して像担持体に押圧され、当該像担持体上に形成されたトナー像を記録材に転写する転写ローラおよびこの転写ローラに転写電流を供給する転写電流供給装置を有する転写手段とを具えてなり、
転写手段の転写ローラは、導電性を有する弾性体に研磨性微粒子が含有されてなる最外層を有することを特徴とする。
この画像形成装置においては、転写ローラの表面に付着した付着物を除去する付着物除去機構が、当該押圧ローラの表面における記録材搬送ベルトとの当接位置よりも下流側において接触するよう設けられている構成とすることができる。
【００１３】
本発明の画像形成装置は、像担持体と、この像担持体上にトナー像を形成するトナー像形成手段と、像担持体に接触するよう設けられた、記録材を搬送する無端状の記録材搬送ベルトと、この記録材搬送ベルトを介して像担持体に押圧され、当該像担持体上に形成されたトナー像を記録材に転写する転写ローラおよびこの転写ローラに転写電流を供給する転写電流供給装置を有する転写手段と、記録材搬送ベルトを駆動する駆動ローラおよび記録材搬送ベルトを介して駆動ローラに押圧されるよう設けられた押圧ローラを有する駆動機構とを具えてなり、
駆動ローラは、導電性を有する弾性体に研磨性微粒子が含有されてなる最外層を有することを特徴とする。
この画像形成装置においては、駆動ローラの表面に付着した付着物を除去する付着物除去機構が、当該駆動ローラの表面における記録材搬送ベルトとの当接位置よりも下流側において接触するよう設けられている構成とすることができる。
【００１４】
本発明の画像形成装置は、像担持体と、この像担持体上にトナー像を形成するトナー像形成手段と、像担持体に接触するよう設けられた、記録材を搬送する無端状の記録材搬送ベルトと、この記録材搬送ベルトを介して像担持体に押圧され、当該像担持体上に形成されたトナー像を記録材に転写する転写ローラおよびこの転写ローラに転写電流を供給する転写電流供給装置を有する転写手段と、記録材搬送ベルトを駆動する駆動ローラおよび記録材搬送ベルトを介して駆動ローラに押圧されるよう設けられた押圧ローラを有する駆動機構とを具えてなり、
押圧ローラは、導電性を有する弾性体に研磨性微粒子が含有されてなる最外層を有することを特徴とする。
この画像形成装置においては、押圧ローラの表面に付着した付着物を除去する付着物除去機構が、当該押圧ローラの表面における記録材搬送ベルトとの当接位置よりも下流側において接触するよう設けられている構成とすることができる。
【００１５】
上記の画像形成装置においては、像担持体の表面に潤滑剤を塗布するブラシローラを有する潤滑剤塗布手段を具えてなる構成とすることができる。
また、上記の画像形成装置に用いられるトナーにはワックスが含有されていることが好ましい。
【発明の効果】
【００１６】
本発明の画像形成装置によれば、像担持体上のトナー像を転写するための転写手段の転写ローラが、研磨性微粒子が含有されてなる最外層を有するものであるので、転写ローラが像担持体に押圧されることにより当該像担持体の表面が研磨性微粒子の作用によって研磨され、これにより像担持体の表面におけるフィルミング層の形成が抑止されて像担持体の表面が平滑な状態に維持され、転写工程において像担持体の表面における転写領域に均質な転写電界を形成させることができるため、形成されたトナー像におけるすべての部分を中間転写体または記録材に確実に転写させることができ、その結果、形成される可視画像に白スジなどの画像欠陥が発生することを確実に抑止することができる。
【００１７】
また、本発明の画像形成装置によれば、中間転写体の内周面に接触して設けられた、１次転写手段の１次転写ローラあるいは２次転写手段のバックアップローラが、研磨性微粒子が含有されてなる最外層を有するものであるので、例えば中間転写体の内周面に汚れが付着しても、１次転写ローラあるいはバックアップローラが中間転写体に押圧されることにより当該中間転写体の内周面が研磨性微粒子の作用によって研磨され、転写工程において中間転写体の外周面における転写領域に均質な転写電界を形成させることができるため、形成されたトナー像におけるすべての部分を記録材に確実に転写させることができ、その結果、形成される可視画像に白スジなどの画像欠陥が発生することを確実に抑止することができる。
【００１８】
また、本発明の画像形成装置によれば、中間転写体の外周面に接触して設けられた、２次転写手段の２次転写ローラが、研磨性微粒子が含有されてなる最外層を有するものであるので、２次転写ローラが中間転写体に押圧されることにより当該中間転写体の外周面が研磨性微粒子の作用によって研磨され、これにより中間転写体の外周面におけるフィルミング層の形成が抑止されて中間転写体の外周面が平滑な状態に維持され、転写工程において中間転写体の外周面における転写領域に均質な転写電界を形成させることができるため、形成されたトナー像におけるすべての部分を記録材に確実に転写させることができ、その結果、形成される可視画像に白スジなどの画像欠陥が発生することを確実に抑止することができる。
【００１９】
また、本発明の画像形成装置によれば、記録材搬送ベルトの内周面に接触して設けられた転写ローラあるいは駆動ローラが、研磨性微粒子が含有されてなる最外層を有するものであるので、例えば記録材搬送ベルトの内周面に汚れが付着しても、転写ローラあるいは駆動ローラが記録材搬送ベルトに押圧されることにより当該記録材搬送ベルトの内周面が研磨性微粒子の作用によって研磨され、転写工程において像担持体の表面における転写領域に均質な転写電界を形成させることができるため、形成されたトナー像におけるすべての部分を記録材に確実に転写させることができ、その結果、形成される可視画像に白スジなどの画像欠陥が発生することを確実に抑止することができる。
【００２０】
さらに、本発明の画像形成装置によれば、記録材搬送ベルトの外周面に接触して設けられた押圧ローラが、研磨性微粒子が含有されてなる最外層を有するものであるので、例えば記録材搬送ベルトの外周面に汚れが付着しても、押圧ローラが記録材搬送ベルトに押圧されることにより当該記録材搬送ベルトの外周面が研磨性微粒子の作用によって研磨され、転写工程において像担持体の表面における転写領域に均質な転写電界を形成させることができるため、形成されたトナー像におけるすべての部分を記録材に確実に転写させることができ、その結果、形成される可視画像に白スジなどの画像欠陥が発生することを確実に抑止することができる。
【発明を実施するための最良の形態】
【００２１】
以下、本発明について図面を参照して詳細に説明する。
【００２２】
＜第１の実施の形態＞
図１は、本発明の画像形成装置の構成の一例を示す説明図である。
この画像形成装置は、回転される像担持体１０と、各々、この像担持体１０の回転方向に対してこの順に並ぶよう像担持体１０の外周面に沿って配設された、像担持体１０の表面を帯電させる帯電装置１１、像担持体１０の表面を露光することにより静電潜像を形成する露光装置１２、トナーを含む現像剤を用いて静電潜像を顕在化させることによりトナー像を形成する現像器１３、像担持体１０のトナー像を転写領域において記録材Ｐ上に転写する転写手段１４、像担持体１０に密着した状態にある記録材Ｐを分離させる分離装置１５、および転写領域を通過した像担持体１０上に残留する未転写トナーを除去するゴムブレード２０１よりなるクリーニング装置２０とを具えている。１６は、転写領域より搬送される記録材Ｐ上の未定着トナー像を定着させて画像を形成する定着装置であり、３０は、像担持体の表面に潤滑剤を塗布する潤滑剤塗布手段である。
【００２３】
像担持体１０は、ドラム状の金属基体と、この金属基体の外周面に形成された有機光導電性化合物よりなる感光層とにより構成されており、図１において紙面に対して垂直な方向に伸びる状態で配設されている。感光層を構成する樹脂としては、例えばポリカーボネートなどを例示することができる。
【００２４】
帯電装置１１は、例えば制御グリッドと帯電極とを有するスコロトロン帯電器よりなり、露光装置１２は、例えばレーザ照射装置よりなる。
【００２５】
現像器１３は、例えばマグネットを内蔵し現像剤を保持して回転する現像スリーブ１３１および像担持体１０とこの現像スリーブ１３１との間にバイアス電圧を印加する電圧印加装置（図示せず）が設けられてなるものである。
【００２６】
転写手段１４は、像担持体１０の表面に押圧された状態で転写ニップ部Ｎを形成するよう配設された転写ローラ１４１と、この転写ローラ１４１に接続された、例えば定電流電源よりなる転写電流供給装置１４２とにより構成されており、適正な大きさに制御された転写電流を転写電流供給装置１４２によって転写ローラ１４１に供給して転写電界を形成させることにより像担持体１０上のトナー像を転写材Ｐに転写する、いわゆる接触転写方式のものである。
【００２７】
転写ローラ１４１は、例えばステンレスなどの導電性芯金の周面に、例えばポリウレタンゴム、エチレン−プロピレンゴム（ＥＰＤＭ）、シリコーンゴムなどのゴム材料に、カーボンなどの導電性フィラーが分散されてなる、あるいはイオン性の導電材料が含有されてなるソリッド状態または発泡スポンジ状態の半導電性ゴムなどの弾性体よりなる最外層が形成されて構成されている。このような最外層の厚みは、例えば５〜２０μｍの範囲である。
転写ローラ１４１は、その実抵抗値が１×１０5 〜１×１０10Ωｃｍであるものであることが好ましく、また、転写ローラ１４１の像担持体１０に対する押圧力は、例えば６〜１０Ｎであることが好ましい。
【００２８】
転写電流供給装置１４２により転写ローラ１４１に供給される転写電流は、トナーの帯電極性とは逆極性のものであり、像担持体１０の感光層の厚さや転写ローラ１４１の実抵抗値の大きさによっても異なるが、その値は１〜２００μＡであることが好ましい。
【００２９】
そして、本発明においては、転写手段１４の転写ローラ１４１における最外層は、導電性を有する弾性体に研磨性微粒子が含有されてなる構成とされている。
【００３０】
＜研磨性微粒子＞
研磨性微粒子としては、酸化セリウム、シリカ、チタニア、チタン酸ストロンチウムおよびアルミナからなる無機酸化物群から選ばれる１つの無機酸化物により構成される微粒子、または、前記無機酸化物群から選ばれる２以上の無機酸化物を複合して構成される複合微粒子を好ましく用いることができる。
【００３１】
研磨性微粒子は、疎水化処理が行われているものであってもよい。疎水化処理剤としては、各種チタンカップリング剤、シランカップリング剤などのいわゆるカップリング剤やシリコーンオイルなどが使用されることが好ましく、さらに、ステアリン酸アルミニウム、ステアリン酸亜鉛、ステアリン酸カルシウムなどの高級脂肪酸金属塩を使用することもできる。
【００３２】
上記チタンカップリング剤としては、例えば、テトラブチルチタネート、テトラオクチルチタネート、イソプロピルトリイソステアロイルチタネート、イソプロピルトリデシルベンゼンスルフォニルチタネート、ビス（ジオクチルパイロフォスフェート）オキシアセテートチタネートなどがある。さらに、シランカップリング剤としては、γ−（２−アミノエチル）アミノプロピルトリメトキシシラン、γ−（２−アミノエチル）アミノプロピルメチルジメトキシシラン、γ−メタクリロキシプロピルトリメトキシシラン、Ｎ−β−（Ｎ−ビニルベンジルアミノエチル）γ−アミノプロピルトリメトキシシラン塩酸塩、ヘキサメチルジシラザン、メチルトリメトキシシラン、ブチルトリメトキシシラン、イソブチルトリメトキシシラン、ヘキシルトリメトキシシラン、オクチルトリメトキシシラン、デシルトリメトキシシラン、ドデシルトリメトキシシラン、フェニルトリメトキシシラン、ｏ−メチルフェニルトリメキシシラン、ｐ−メチルフェニルトリメトキシシランなどが挙げられる。
【００３３】
上記高級脂肪酸金属塩としては、例えば、ウンデシル酸、ラウリン酸、トリデシル酸、ドデシル酸、ミリスチン酸、パルミチン酸、ペンタデシル酸、ステアリン酸、ヘプタデシル酸、アラキン酸、モンタン酸、オレイン酸、リノール酸、アラキドン酸などの長鎖脂肪酸と、亜鉛、鉄、マグネシウム、アルミニウム、カルシウム、ナトリウム、リチウムなどの金属との塩が挙げられる。
【００３４】
上記シリコーンオイルとしては、例えばジメチルシリコーンオイル、メチルフェニルシリコーンオイル、アミノ変性シリコーンオイルなどを挙げることができる。
【００３５】
これらの疎水化処理剤として用いられる化合物は、無機微粒子に対して１〜１０重量％添加することが好ましく、より好ましくは、３〜７重量％である。また、これらの材料は組み合わせて使用することもできる。
【００３６】
複合微粒子は、核となる無機微粒子（以下、「母無機微粒子」という。）の表面に、この母無機微粒子の種類と別種の無機微粒子（以下、「子無機微粒子」という。）が固着処理されたものである。
【００３７】
複合微粒子は、上記母無機微粒子に対して子無機微粒子を添加混合し、次いで、子無機微粒子が静電的に完全に母無機微粒子に付着している混合状態を形成した後、機械的エネルギーを付与して母無機微粒子の表面に子無機微粒子を固着させて製造される。
ここで、「固着」とは、固着率が２５％以上の状態を示し、「固着率」とは、子無機微粒子の母無機微粒子に対する固着の状態、すなわち埋め込みの状態についての指標であって、具体的には下記式（１）により算出されるものである。
【００３８】
式（１）：固着率＝｛１−［Ｓｈ／〔（１−ｘ）・Ｓａ＋ｘ・Ｓｂ〕］｝×１００
上記式（１）において、Ｓａは、母無機微粒子の比表面積、Ｓｂは、子無機微粒子の比表面積、Ｓｈは、母無機微粒子の表面に子無機微粒子を固着した後の複合微粒子の比表面積、ｘは、全体を１００質量％としたときの、添加された子無機微粒子の割合である。
【００３９】
この固着率は２５％〜１００％であることが好ましく、特に４０％〜８０％であることが好ましい。固着率が２５％未満であると、母無機微粒子に対する子無機微粒子の固着（埋め込み）の程度が低いため、長期間にわたって繰り返し使用すると、表面に存在する子無機微粒子の遊離が発生し、この遊離した子無機微粒子により像担持体１０、あるいは後述する中間転写体１７の表面が過度に傷つけられるおそれがある。
【００４０】
固着率は、固着処理を行う装置においてその条件を種々に制御することによって調整することができる。
【００４１】
複合微粒子を構成する子無機微粒子は、母無機微粒子に対して、母無機微粒子および子無機微粒子のそれぞれの粒径に応じて、母無機微粒子の表面を十分に覆うだけの量を添加すればよい。
【００４２】
表面に静電気的に付着した子無機微粒子を母無機微粒子に対して固着させるための、機械的エネルギーの付与装置としては、「ハイブリダイザー」（奈良機械製作所製）、「自由ミル」（奈良機械製作所製）、「オングミル」（ホソカワミクロン社製）、「クリプトロン」（川崎重工社製）などを使用することができる。
【００４３】
以上説明したような研磨性微粒子の帯電量は、絶対値で１〜４０μＣ／ｇが好ましい。複合微粒子における帯電量の制御は、表面に固着する子無機微粒子の帯電性を制御すること、および母無機微粒子の帯電性を制御することによって行うことができる。
【００４４】
研磨性微粒子の一次平均粒子径は、１０〜１５００ｎｍであることが好ましく、特に好ましくは１０〜１０００ｎｍである。一次平均粒子径は、例えば、透過型電子顕微鏡観察（ＴＥＭ）により１００，０００倍に拡大した研磨性微粒子像を、１００個無作為にサンプリングして画像解析によってその粒径を測定し、平均値を求めることにより測定することができる。
研磨性微粒子の一次平均粒子径が１０ｎｍ未満であると研磨性が不十分となるおそれがあり、また、１５００ｎｍを超えると、中間転写体１７の表面を過度に傷つけるおそれがある。
【００４５】
研磨性微粒子の形状係数（ＳＦ）は、１．００〜２．００であることが好ましく、特に好ましくは、１．２０〜１．７０である。形状係数（ＳＦ）は、例えば、透過型電子顕微鏡観察（ＴＥＭ）により１００，０００倍に拡大した研磨性微粒子像を１００個無作為にサンプリングして画像解析装置「Ｌｕｚｅｘ３」（ニコレ社製）によって研磨性微粒子像の解析を行い、下記式（２）より算出される。
【００４６】
式（２）：形状係数（ＳＦ）＝｛（最大径）2 ／投影面積｝×（π／４）
式（２）中、最大径とは、研磨性微粒子の平面への投影像を２本の平行線ではさんだとき、その平行線の間隔が最大となる粒子の幅をいう。また、投影面積とは、研磨性微粒子の平面への投影像の面積をいう。対象である微粒子が複合微粒子である場合にも、複合微粒子を１個の微粒子としてみなして算出する。
【００４７】
以上の研磨性微粒子の含有割合は、例えば最外層の全体に対して０．１〜１０質量％、好ましくは０．５〜５質量％である。
研磨性微粒子の含有割合が０．１質量％未満である場合には、転写ローラ１４１が像担持体１０の表面を十分に研磨することができないおそれがある。一方、研磨性微粒子の含有割合が１０質量％を超える場合には、像担持体１０の表面が過度に磨耗されるおそれがある。
【００４８】
この例の画像形成装置においては、転写ローラ１４１の表面に付着した付着物を除去するための、例えばポリエチレンテレフタラート製の板状のスクレーパ部材１９よりなる付着物除去機構が、この転写ローラ１４１の表面における像担持体１０との当接位置よりも下流側において、当該転写ローラ１４１の表面に接触するよう設けられている。
【００４９】
分離装置１５は、像担持体１０に密着した状態にある記録材Ｐの電荷を除去することによりこの記録材Ｐを像担持体１０から分離させるものであり、例えばコロトロン帯電器よりなるものが用いられる。
【００５０】
定着装置１６は、例えば、内部に加熱源を備えた加熱ローラ１６１と、この加熱ローラ１６１に定着ニップ部が形成されるよう圧接された状態で設けられた加圧ローラ１６２とにより構成されてなる熱ローラ定着方式のものである。
【００５１】
クリーニング装置２０のゴムブレード２０１は、例えば、ポリウレタンゴムなどの弾性体よりなり、その基端部分が支持部材（図示せず）によって支持されると共に、先端部分が像担持体１０の表面に当接されるよう設けられており、ゴムブレード２０１の基端側から伸びる方向は、当接箇所における像担持体１０の回転による移動方向と反対方向である、いわゆるカウンター方向とされている。
このゴムブレード２０１は、これを構成する弾性体のＪＩＳ  Ａ硬度が６５〜８０°であることが好ましく、また、２５℃で測定された反発弾性係数が５０％以上であることが好ましい。また、ゴムブレード２０１の像担持体１０に対する押圧力は好ましくは０．９８〜２９４ｍＮ／ｃｍであり、さらに、ゴムブレード２０１の像担持体１０に対する実効当接角は７〜２０°に設定されることが好ましい。
【００５２】
潤滑剤塗布手段３０は、図２に示すように、紙面に対して垂直な方向に細長く伸びた直方体形状を有する固形状の潤滑剤により構成された潤滑剤ストック３２と、掻取領域３０ａにおいて潤滑剤ストック３２の表面と当接し、塗布領域３０ｂにおいて像担持体１０の表面と当接し、潤滑剤ストック３２の表面を摺擦することにより掻き取った潤滑剤を像担持体１０の表面に塗布するよう回転駆動されるブラシローラ３１と、潤滑剤ストック３２をブラシローラ３１に対して押圧するよう支持するスプリングからなる押圧装置３３とから構成されている。
【００５３】
＜トナー＞
以上の画像形成装置において用いられるトナーは、重量平均粒径が３〜８μｍの範囲のものである。重量平均粒径が３〜８μｍの範囲であるトナーを用いることにより、定着装置１６における定着工程において、記録材Ｐに対する付着性の過度なトナーや付着力の弱いトナーなどの存在を減らすことができ、安定した現像性を長期間にわたって得ることができると共に、高い転写効率が得られてハーフトーンの画質が向上し、細線やドットなどの微細画の画質が向上した可視画像が形成される。
【００５４】
また、トナーの形状係数は、１．２〜１．５であることが好ましい。本発明でいうトナーの形状係数は、前述の研磨性微粒子における形状係数（ＳＦ）と、顕微鏡倍率を１０，０００倍に変えたほかは同一の方法により求めることができる。
形状係数が１．２より小さいトナーは、粒子が真球に近すぎるものであるため、クリーニング性が劣ったものとなり、一方、形状係数が１．５より大きいトナーは、粒子の凹凸が大きくなり、機械内での圧力により破壊されやすく、また現像器１３においてトナー粒子が一様に帯電されないため、良好な可視画像を形成することができない。
【００５５】
以上のような、その形状が特定の条件を満たす小径の球形のトナーを含有する現像剤を用いることにより、ハーフトーンの画質が向上し、細線やドットなどの微細画の画質が向上した画質の可視画像を形成することができる。
【００５６】
以上説明したようなトナーは、重合性単量体を水系媒体中で重合させて得られるものであり、例えば懸濁重合法や、必要な添加剤の乳化液を加えた液中にて単量体を乳化重合し、微粒の重合体粒子を製造し、その後に、有機溶媒、凝集剤などを添加して会合する方法で製造することができる。また、単量体とトナーの構成に必要な離型剤や着色剤などの分散液とを混合して会合させる方法や、単量体中に離型剤や着色剤などのトナー構成成分を分散した上で乳化重合する方法などにより製造することもできる。ここで、「会合」とは樹脂粒子および着色剤粒子が複数個融着することを示す。また本発明でいうところの水系媒体とは、少なくとも水が５０質量％以上含有されたものを示す。
【００５７】
トナーは、少なくとも樹脂と着色剤を含有するものであるが、必要に応じて定着性改良剤である離型剤や荷電制御剤などを含有することもでき、離型剤として、例えばワックスを挙げることができる。
ここに、ワックスとしては、種々の公知のもので、かつ水中に分散することができるものを例示することができる。具体的には、ポリプロピレン、ポリエチレンなどのオレフィン系ワックス、これらオレフィン系ワックスの変性物、カルナウバワックスやライスワックスなどの天然ワックス、脂肪酸ビスアミドなどのアミド系ワックスなどを挙げることができる。
トナー粒子中におけるワックスの含有割合は、通常１〜３０質量％とされ、好ましくは２〜２０質量％、更に好ましくは３〜１５質量％とされる。
【００５８】
以上説明したようなトナーは、一成分現像剤として用いても、二成分現像剤として用いてもよい。
一成分現像剤として用いる場合は、非磁性一成分現像剤、あるいはトナー中に０．１〜０．５μｍ程度の磁性粒子を含有させ磁性一成分現像剤としたものが挙げられ、いずれも使用することができる。
【００５９】
また、キャリアと混合して二成分現像剤として用いる場合は、キャリアの磁性粒子として、鉄、フェライト、マグネタイトなどの金属、それらの金属とアルミニウム、鉛などの金属との合金などの従来より好適に利用されている材料を用いることができ、特にフェライト粒子が好ましい。上記磁性粒子は、その体積平均粒径が１５〜１００μｍのものであることが好ましく、より好ましくは２５〜８０μｍのものである。                      キャリアの体積平均粒径の測定は、代表的には湿式分散機を備えたレーザ回折式粒度分布測定装置「ヘロス（ＨＥＬＯＳ）」（シンパティック（ＳＹＭＰＡＴＥＣ）社製）により測定することができる。
【００６０】
以上の画像形成装置においては、次のようにして画像形成動作が行われる。
すなわち、像担持体１０が回転駆動されると、像担持体１０が帯電装置１１によって所定の極性（例えば負極性）に帯電され、次いで、露光装置１２によって露光されて照射個所（露光領域）の電位が低下されることにより静電潜像が像担持体１０上に形成され、現像器１３によって像担持体１０の表面電位と同じ極性（例えば負極性）に帯電されたトナーが像担持体１０の静電潜像に付着して反転現像が行われ、これにより、トナー像が形成される。
次いで、転写手段１４により像担持体１０上のトナー像が記録材Ｐに転写された後、分離装置１５により像担持体１０と密着した状態にある記録材Ｐが分離され、その後、定着装置１６によって定着処理が行われる。
【００６１】
一方、転写領域を通過して像担持体１０上に残留する未転写トナーがクリーニング装置２０によって除去されるが、ゴムブレード２０１によるクリーニングが行われるに際して、潤滑剤塗布手段３０によって、潤滑剤が像担持体１０の表面に塗布されると共に像担持体１０上の未転写トナーの一部が、潤滑剤塗布手段３０のブラシローラ３１により掻き取られて除去され、実質上、未転写トナーの他の全部がゴムブレード２０１によって除去される。
【００６２】
而して、上記の構成を有する画像形成装置によれば、研磨性微粒子が含有されてなる最外層を有する転写ローラ１４１が像担持体１０に押圧されることにより当該像担持体１０の表面が研磨され、この転写ローラ１４１により研磨され当該転写ローラ１４１の表面に付着した像担持体１０の表面の汚れなどの付着物がスクレーパ部材１９によって除去される。
【００６３】
このような画像形成装置によれば、例えば潤滑剤を構成する成分の一部やトナーを構成する成分の一部が像担持体１０の表面に付着したとしても、この付着物は転写ローラ１４１の研磨性微粒子による研磨作用によって除去されるので、フィルミング層の形成が抑止されて像担持体１０の表面が平滑な状態に維持され、転写工程において像担持体１０の表面における転写領域に均質な転写電界を形成させることができるため、形成されたトナー像におけるすべての部分を記録材Ｐに確実に転写させることができ、その結果、形成される可視画像に白スジなどの画像欠陥が発生することを確実に抑止することができる。
【００６４】
また、転写ローラ１４１に接触してスクレーパ部材１９よりなる付着物除去機構が設けられていることにより、繰り返し使用に伴って転写ローラ１４１の表面に付着した付着物によって当該転写ローラ１４１の研磨作用の程度が低下することや、転写ローラ１４１の表面に付着した付着物が像担持体１０に再び付着することが抑止される。
【００６５】
本実施の形態における画像形成装置には様々の変更を加えることができる。
例えば、潤滑剤塗布手段により像担持体の表面に塗布される潤滑剤は、転写ローラの最外層に含有されてなる研磨性微粒子と同様の構成を有する研磨性微粒子が含有されているものであってもよい。
【００６６】
＜第２の実施の形態＞
図３は、本発明を適用したカラー画像形成装置の構成の一例を示す説明図である。
この画像形成装置は、複数の像担持体上に形成される互いに異なる色のトナー像を共通の中間転写体に順次に転写することにより当該中間転写体の外周面において各色のトナー像を重ね合わせて形成されたカラートナー像を記録材に転写することにより記録材上にカラートナー像を形成する、いわゆる中間転写方式のものである。
この画像形成装置について詳細に説明する。
【００６７】
この画像形成装置は、無端状のベルトからなり図３において矢印方向に循環移動される中間転写体１７を具えており、この中間転写体１７の外周面領域に設けられたトナー像形成ユニット配置領域には、中間転写体１７の移動方向に沿って、各々、イエロートナー像、マゼンタトナー像、シアントナー像およびブラックトナー像を形成する４つのトナー像形成ユニット２１Ｙ、２１Ｍ、２１Ｃ、２１Ｋが互いに離間して並ぶよう設けられている。中間転写体１７は、各々のトナー像形成ユニット２１Ｙ、２１Ｍ、２１Ｃ、２１Ｋにおける１次転写手段１４Ｙ、１４Ｍ、１４Ｃ、１４Ｋによって像担持体１０Ｙ、１０Ｍ、１０Ｃ、１０Ｋの各々に対接されながら循環移動されるよう、複数の支持ローラに張架された状態とされている。
【００６８】
イエロートナー像に係るトナー像形成ユニット２１Ｙにおいては、回転されるドラム状の感光体よりなる像担持体１０Ｙを具え、この像担持体１０Ｙの外周面領域において、各々、像担持体１０Ｙの回転方向に沿って、帯電装置１１Ｙ、露光装置１２Ｙおよびイエロートナーに係る現像剤により現像を行う現像器１３Ｙがこの順に並ぶよう配設されており、像担持体１０Ｙの回転方向における現像器１３Ｙより下流の位置に具えられた１次転写手段１４Ｙの下流の位置には、像担持体１０Ｙの表面に潤滑剤を塗布する潤滑剤塗布手段３０Ｙおよび像担持体１０Ｙ上に残留する未転写トナーを除去するゴムブレードよりなるクリーニング装置２０Ｙが設けられている。
像担持体１０Ｙ、帯電装置１１Ｙ、露光装置１２Ｙ、現像器１３Ｙ、潤滑剤塗布手段３０Ｙおよびクリーニング装置２０Ｙは、それぞれ第１の実施の形態におけるものと同様の構成を有するものとされる。
【００６９】
１次転写手段１４Ｙは、中間転写体１７を介して像担持体１０Ｙの表面に押圧された状態で１次転写領域を形成するよう配設された１次転写ローラ１４１Ｙと、この１次転写ローラ１４１Ｙに接続された、定電流電源よりなる転写電流供給装置（図示せず）とにより構成されており、転写電流供給装置によって１次転写ローラ１４１Ｙに電流を供給して１次転写領域に転写電界を形成させることにより、像担持体１０Ｙ上のイエロートナー像を、中間転写体１７に転写する、いわゆる接触転写方式のものである。
本発明でいうところの中間転写体の「外周面」とは、トナー像形成ユニットにおける像担持体が接触する一方の面を示し、他方の面を「内周面」という。
すなわち、像担持体１０Ｙは中間転写体１７の外周面に接触して設けられ、１次転写ローラ１４１Ｙは、中間転写体１７の内周面に接触して設けられている。
【００７０】
１次転写ローラ１４１Ｙは、例えばステンレスなどの導電性芯金の周面に、例えばポリウレタンゴム、エチレン−プロピレンゴム（ＥＰＤＭ）、シリコーンゴムなどのゴム材料に、カーボンなどの導電性フィラーが分散されてなる、あるいはイオン性の導電材料が含有されてなるソリッド状態または発泡スポンジ状態の半導電性ゴムなどの弾性体よりなる最外層が形成されて構成されている。このような最外層の厚みは、例えば５〜２０μｍの範囲である。
この１次転写ローラ１４１Ｙは、その実抵抗値が１×１０5 〜１×１０10Ωｃｍであるものであることが好ましく、また、１次転写ローラ１４１Ｙの像担持体１０に対する押圧力は、例えば０．９８〜７．８４Ｎであることが好ましい。
【００７１】
転写電流供給装置により１次転写ローラ１４１Ｙに供給される転写電流は、トナーの帯電極性とは逆極性のものであり、像担持体１０の感光層の厚さや１次転写ローラ１４１Ｙの実抵抗値の大きさによっても異なるが、その値は１〜２００μＡであることが好ましい。
【００７２】
他のトナー像形成ユニット２１Ｍ、２１Ｃ、２１Ｋの各々についても、現像剤がイエロートナーの代わりにそれぞれマゼンタトナー、シアントナー、ブラックトナーを含むものである他は、イエロートナー像に係るトナー像形成ユニット２１Ｙと同様の構成とされている。
【００７３】
中間転写体１７としては、例えば表面抵抗率が１×１０9 〜１×１０12Ω／□の半導電性の樹脂ベルトからなるものが好ましく用いられ、具体的には、例えばポリカーボネート、ポリイミド、ポリアセドイミド、ポリビニリデンフルオライド、テトラフルオロエチレン−エチレン共重合体などの樹脂材料や、エチレン−プロピレンゴム、アクリロニトリル−ブタジエンゴム、クロロプレンゴム、ポリウレタンゴムなどのゴム材料に、カーボンなどの導電性フィラーが分散されてなるもの、あるいはイオン性の導電材料が含有されてなるものが用いられる。表面抵抗率は、抵抗測定器「ハイレスターＩＰ」（油化電子製）を用い、常温常湿（温度２０±１℃、湿度５０±２％）環境下において、電圧１００Ｖを１０秒間印加することにより計測した値である。
【００７４】
中間転写体１７の移動方向におけるトナー像形成ユニット２１Ｋより下流側の位置には２次転写手段１４Ｓが設けられており、この２次転写手段１４Ｓは、中間転写体１７の外周面に接触して設けられて当該中間転写体１７との間に２次転写領域を形成する２次転写ローラ１４１Ｓと、中間転写体１７を介して２次転写ローラ１４１Ｓを押圧するよう当該中間転写体１７の内周面に接触して設けられたバックアップローラ１４２Ｓと、２次転写ローラ１４１Ｓに接続された、定電流電源よりなる転写電流供給装置（図示せず）とによって構成されており、転写電流供給装置によって２次転写ローラ１４１Ｓに電流を供給して２次転写領域に転写電界を形成させることにより、中間転写体１７上のカラートナー像を、記録材Ｐに転写する、いわゆる接触転写方式のものである。
【００７５】
２次転写ローラ１４１Ｓは、例えばステンレスなどの導電性芯金の周面に、例えばポリウレタンゴム、エチレン−プロピレンゴム（ＥＰＤＭ）、シリコーンゴムなどのゴム材料に、カーボンなどの導電性フィラーが分散されてなる、あるいはイオン性の導電材料が含有されてなるソリッド状態または発泡スポンジ状態の半導電性ゴムなどの弾性体よりなる最外層が形成されて構成されている。このような最外層の厚みは、例えば５〜３０μｍの範囲である。
２次転写ローラ１４１Ｓは、その実抵抗値が１×１０5 〜１×１０10Ωｃｍであるものであることが好ましく、また、２次転写ローラ１４１Ｓの中間転写体１７に対する押圧力は、例えば４．９〜９８Ｎであることが好ましい。
【００７６】
バックアップローラ１４２Ｓは、例えば、ステンレスなどの導電性芯金の周面に、例えばポリウレタンゴム、エチレン−プロピレンゴム（ＥＰＤＭ）、シリコーンゴムなどのゴム材料などの弾性体よりなる最外層が形成されてなるものである。このような最外層の厚みは、例えば、５〜３０μｍの範囲である。
【００７７】
転写電流供給装置により２次転写ローラ１４１Ｓに供給される転写電流は、トナーの帯電極性とは逆極性のものであり、中間転写体１７の厚さや２次転写ローラ１４１Ｓの実抵抗値の大きさによっても異なるが、その値は１〜２００μＡであることが好ましい。
【００７８】
また、中間転写体１７の移動方向における２次転写手段１４Ｓより下流側の位置には、、中間転写体１７の外周面上に潤滑剤を塗布する潤滑剤塗布手段３０Ｓおよび中間転写体１７の外周面上に残留する未転写トナーを除去する、例えばポリウレタンゴム製の平板状ゴムブレードよりなるクリーニング装置２０Ｓが設けられている。この潤滑剤塗布手段３０Ｓおよびクリーニング装置２０Ｓは、それぞれ第１の実施の形態におけるものと同様の構成を有するものとされる。
【００７９】
本発明においては、１次転写手段１４Ｙ、１４Ｍ、１４Ｃ、１４Ｋのそれぞれの１次転写ローラ１４１Ｙ、１４１Ｍ、１４１Ｃ、１４１Ｋの全部における最外層は、導電性を有する弾性体に研磨性微粒子が含有されてなるものである。
この研磨性微粒子は、第１の実施の形態におけるものと同様のものである。
【００８０】
また、１次転写ローラ１４１Ｙ、１４１Ｍ、１４１Ｃ、１４１Ｋの表面に付着した付着物を除去するための、例えばポリエチレンテレフタラート製の板状のスクレーパ部材（図示せず）よりなる付着物除去機構が、各々、この１次転写ローラ１４１Ｙ、１４１Ｍ、１４１Ｃ、１４１Ｋの表面における中間転写体１７との当接位置よりも下流側において接触するよう設けられている。
【００８１】
この画像形成装置においては、次のようにして画像形成動作が行われる。すなわち、トナー像形成ユニット２１Ｙ、２１Ｍ、２１Ｃ、２１Ｋの各々において、像担持体１０Ｙ、１０Ｍ、１０Ｃ、１０Ｋが回転駆動され、この像担持体１０Ｙ、１０Ｍ、１０Ｃ、１０Ｋが帯電装置１１Ｙ、１１Ｍ、１１Ｃ、１１Ｋによって所定の極性、例えば負極性に帯電され、次いで、露光装置１２Ｙ、１２Ｍ、１２Ｃ、１２Ｋによって露光されることにより、照射箇所（露光領域）の電位が低下されて原稿画像に対応した静電潜像が像担持体１０Ｙ、１０Ｍ、１０Ｃ、１０Ｋ上に形成され、像担持体１０Ｙ、１０Ｍ、１０Ｃ、１０Ｋの表面電位と同じ極性、例えば負極性に帯電されたトナーが像担持体１０Ｙ、１０Ｍ、１０Ｃ、１０Ｋの静電潜像に付着して反転現像が行われ、これにより各色のトナー像が形成される。
【００８２】
さらに、１次転写手段１４Ｙ、１４Ｍ、１４Ｃ、１４Ｋにより１次転写領域において各色のトナー像が順次に中間転写体１７に１次転写されて当該中間転写体１７の外周面において重ね合わせられることによりカラートナー像が形成される。そして、２次転写手段１４Ｓの転写電流供給装置により適正な大きさに制御された転写電流が２次転写ローラ１４１Ｓに供給されて、中間転写体１７の外周面のカラートナー像が、搬送されてきた記録材Ｐに２次転写された後、定着工程が行われ、これにより可視画像が形成される。
【００８３】
トナー像形成ユニット２１Ｙ、２１Ｍ、２１Ｃ、２１Ｋにおいては、１次転写領域を通過して像担持体１０Ｙ、１０Ｍ、１０Ｃ、１０Ｋの表面上に残留した未転写トナーが、クリーニング装置２０Ｙ、２０Ｍ、２０Ｃ、２０Ｋの各々のゴムブレードにより除去される。
また、２次転写領域を通過して中間転写体１７の外周面上に残留した未転写トナーは、クリーニング装置２０Ｓのゴムブレードにより除去される。
【００８４】
そして、研磨性微粒子が含有されている弾性体よりなる最外層を有する１次転写ローラ１４１Ｙ、１４１Ｍ、１４１Ｃ、１４１Ｋが中間転写体１７に押圧されることにより当該中間転写体１７の内周面が研磨される。また、この１次転写ローラ１４１Ｙ、１４１Ｍ、１４１Ｃ、１４１Ｋにより研磨されて当該１次転写ローラ１４１Ｙ、１４１Ｍ、１４１Ｃ、１４１Ｋの表面に付着した中間転写体１７の汚れなどの付着物がスクレーパ部材よりなる付着物除去機構により除去される。
【００８５】
このような画像形成装置によれば、例えば中間転写体１７の内周面にほこりなどの汚れが付着したとしても、この付着物は１次転写ローラ１４１Ｙ、１４１Ｍ、１４１Ｃ、１４１Ｋの研磨性微粒子による研磨作用によって除去されるので、転写工程において中間転写体１７の外周面における１次転写領域および２次転写領域において均質な転写電界を形成させることができるため、形成されたトナー像におけるすべての部分を中間転写体１７または記録材Ｐに確実に転写させることができ、その結果、形成される可視画像に白スジなどの画像欠陥が発生することを確実に抑止することができる。
【００８６】
また、１次転写ローラ１４１Ｙ、１４１Ｍ、１４１Ｃ、１４１Ｋに接触してスクレーパ部材が設けられていることにより、繰り返し使用に伴って１次転写ローラ１４１Ｙ、１４１Ｍ、１４１Ｃ、１４１Ｋの表面に付着した付着物によって当該１次転写ローラ１４１Ｙ、１４１Ｍ、１４１Ｃ、１４１Ｋの研磨作用の程度が低下することや、１次転写ローラ１４１Ｙ、１４１Ｍ、１４１Ｃ、１４１Ｋの表面に付着した付着物が中間転写体１７に再び付着することが抑止される。
【００８７】
本実施の形態における画像形成装置には様々の変更を加えることができる。
例えば、１次転写手段１４Ｙ、１４Ｍ、１４Ｃ、１４Ｋのそれぞれの１次転写ローラ１４１Ｙ、１４１Ｍ、１４１Ｃ、１４１Ｋの全部においてその最外層に研磨性微粒子が含有されてなる構成ではなく、１次転写ローラ１４１Ｙ、１４１Ｍ、１４１Ｃ、１４１Ｋのうちの一部においてその最外層に研磨性微粒子が含有されてなる構成であってもよい。
【００８８】
＜第３の実施の形態＞
この画像形成装置は、２次転写手段１４Ｓのバックアップローラ１４２Ｓにおける最外層が、導電性を有する弾性体に研磨性微粒子が含有されてなる構成とされたものであり、このバックアップローラ１４２Ｓには、当該バックアップローラ１４２Ｓの表面に付着した付着物を除去するための、例えばポリエチレンテレフタラート製の板状のスクレーパ部材よりなる付着物除去機構が、当該バックアップローラ１４２Ｓの表面における中間転写体１７との当接位置よりも下流側において接触するよう設けられており、さらに、１次転写ローラ１４１Ｙ、１４１Ｍ、１４１Ｃ、１４１Ｋの全部においてその最外層に研磨性微粒子が含有されておらず、これらの１次転写ローラ１４１Ｙ、１４１Ｍ、１４１Ｃ、１４１Ｋに接触するスクレーパ部材が設けられていない以外は、第２の実施の形態における画像形成装置と同様の構成を有するものである。
【００８９】
このような画像形成装置によれば、例えば中間転写体１７の内周面にほこりなどの汚れが付着したとしても、この付着物はバックアップローラ１４２Ｓの研磨性微粒子による研磨作用によって除去されるので、転写工程において中間転写体１７の外周面における１次転写領域および２次転写領域において均質な転写電界を形成させることができるため、形成されたトナー像におけるすべての部分を中間転写体１７または記録材Ｐに確実に転写させることができ、その結果、形成される可視画像に白スジなどの画像欠陥が発生することを確実に抑止することができる。
【００９０】
また、バックアップローラ１４２Ｓに接触してスクレーパ部材が設けられていることにより、繰り返し使用に伴ってバックアップローラ１４２Ｓの表面に付着した付着物によって当該バックアップローラ１４２Ｓの研磨作用の程度が低下することや、バックアップローラ１４２Ｓの表面に付着した付着物が中間転写体１７に再び付着することが抑止される。
【００９１】
＜第４の実施の形態＞
この画像形成装置は、２次転写手段１４Ｓの２次転写ローラ１４１Ｓにおける最外層が、導電性を有する弾性体に研磨性微粒子が含有されてなる構成とされたものであり、この２次転写ローラ１４１Ｓには、２次転写ローラ１４１Ｓの表面に付着した付着物を除去するための、例えばポリエチレンテレフタラート製の板状のスクレーパ部材よりなる付着物除去機構が、この２次転写ローラ１４１Ｓの表面における中間転写体１７との当接位置よりも下流側において接触するよう設けられており、さらに、１次転写ローラ１４１Ｙ、１４１Ｍ、１４１Ｃ、１４１Ｋの全部においてその最外層に研磨性微粒子が含有されておらず、これらの１次転写ローラ１４１Ｙ、１４１Ｍ、１４１Ｃ、１４１Ｋに接触するスクレーパ部材が設けられていない以外は、第２の実施の形態における画像形成装置と同様の構成を有するものである。
【００９２】
このような画像形成装置によれば、例えば潤滑剤を構成する成分の一部やトナーを構成する成分の一部が中間転写体１７の外周面に付着したとしても、この付着物は２次転写ローラ１４１Ｓの研磨性微粒子による研磨作用によって除去されるので、フィルミング層の形成が抑止されて中間転写体１７の外周面が平滑な状態に維持され、１次転写工程および２次転写工程において中間転写体１７の外周面における１次転写領域および２次転写領域に均質な転写電界を形成させることができるため、形成されたトナー像におけるすべての部分を中間転写体１７または記録材Ｐに確実に転写させることができ、その結果、形成される可視画像に白スジなどの画像欠陥が発生することを確実に抑止することができる。
【００９３】
また、２次転写ローラ１４１Ｓに接触してスクレーパ部材が設けられていることにより、繰り返し使用に伴って２次転写ローラ１４１Ｓの表面に付着した付着物によって当該２次転写ローラ１４１Ｓの研磨作用の程度が低下することや、２次転写ローラ１４１Ｓの表面に付着した付着物が中間転写体１７に再び付着することが抑止される。
【００９４】
＜第５の実施の形態＞
図４は、本発明を適用したカラー画像形成装置の他の構成の一例を示す説明図である。  この画像形成装置には、記録材を吸着して搬送する記録材搬送ベルトが設けられており、複数の像担持体上に形成される互いに異なる色のトナー像を記録材搬送ベルトに搬送される記録材に順次に転写して当該記録材上において各色のトナー像が重ね合わされることによりカラートナー像が形成される、いわゆるベルト転写方式のものである。
この画像形成装置について詳細に説明する。
【００９５】
この画像形成装置は、無端状のベルトからなり図４において矢印方向に循環移動される記録材搬送ベルト４７を具えており、この記録材搬送ベルト４７の外周面領域に設けられたトナー像形成ユニット配置領域には、記録材搬送ベルト４７の移動方向に沿って、各々、イエロートナー像、マゼンタトナー像、シアントナー像およびブラックトナー像を形成する４つのトナー像形成ユニット４０Ｙ、４０Ｍ、４０Ｃ、４０Ｋが互いに離間して並ぶよう設けられている。記録材搬送ベルト４７は、各々のトナー像形成ユニット４０Ｙ、４０Ｍ、４０Ｃ、４０Ｋにおける転写手段４１Ｙ、４１Ｍ、４１Ｃ、４１Ｋによって像担持体４２Ｙ、４２Ｍ、４２Ｃ、４２Ｋの各々に対接されながら循環移動されるよう、複数の支持ローラに張架された状態とされている。
【００９６】
イエロートナー像に係るトナー像形成ユニット４０Ｙにおいては、回転されるドラム状の感光体よりなる像担持体４２Ｙを具え、この像担持体４２Ｙの外周面領域において、各々、像担持体４２Ｙの回転方向に沿って、帯電装置（図示せず）、露光装置（図示せず）およびイエロートナーに係る現像剤により現像を行う現像器（図示せず）がこの順に並ぶよう配設されており、像担持体４２Ｙの回転方向における現像器より下流の位置に具えられた転写手段４１Ｙの下流の位置には、像担持体４２Ｙの表面に潤滑剤を塗布する潤滑剤塗布手段（図示せず）および像担持体４２Ｙ上に残留する未転写トナーを除去するゴムブレードよりなるクリーニング装置（図示せず）が設けられている。
像担持体４２Ｙ、帯電装置、露光装置、現像器、潤滑剤塗布手段およびクリーニング装置は、それぞれ第１の実施の形態におけるものと同様の構成を有するものとされる。
【００９７】
転写手段４１Ｙは、記録材搬送ベルト４７を介して、すなわち記録材搬送ベルト４７の内周面に接触して像担持体４２Ｙの表面に押圧された状態で転写領域を形成するよう配設された転写ローラ４１１Ｙと、この転写ローラ４１１Ｙに接続された、定電流電源よりなる転写電流供給装置（図示せず）とにより構成されており、転写電流供給装置によって転写ローラ４１１Ｙに電流を供給して転写領域に転写電界を形成させることにより、像担持体４２Ｙ上のイエロートナー像を、記録材搬送ベルト４７により搬送される記録材Ｐに転写する、いわゆる接触転写方式のものである。
【００９８】
転写ローラ４１１Ｙは、例えばステンレスなどの導電性芯金の周面に、例えばポリウレタンゴム、エチレン−プロピレンゴム（ＥＰＤＭ）、シリコーンゴムなどのゴム材料に、カーボンなどの導電性フィラーが分散されてなる、あるいはイオン性の導電材料が含有されてなるソリッド状態または発泡スポンジ状態の半導電性ゴムなどの弾性体よりなる最外層が形成されて構成されている。このような最外層の厚みは、例えば５〜２０μｍの範囲である。
転写ローラ４１１Ｙは、その実抵抗値が１×１０5 〜１×１０10Ωｃｍであるものであることが好ましく、また、転写ローラ４１１Ｙの記録材搬送ベルト４７に対する押圧力は、例えば０．９８〜７．８４Ｎであることが好ましい。
【００９９】
他のトナー像形成ユニット４０Ｍ、４０Ｃ、４０Ｋの各々についても、現像剤がイエロートナーの代わりにそれぞれマゼンタトナー、シアントナー、ブラックトナーを含むものである他は、イエロートナー像に係るトナー像形成ユニット４０Ｙと同様の構成とされている。
【０１００】
記録材搬送ベルト４７としては、例えば表面抵抗率が１×１０9 〜１×１０14Ω／□の半導電性の樹脂ベルトからなるものが好ましく用いられ、具体的には、例えばポリカーボネート、ポリイミド、ポリアセドイミド、ポリビニリデンフルオライド、テトラフルオロエチレン−エチレン共重合体などの樹脂材料や、エチレン−プロピレンゴム、アクリロニトリル−ブタジエンゴム、クロロプレンゴム、ポリウレタンゴムなどのゴム材料に、カーボンなどの導電性フィラーが分散されてなるもの、あるいはイオン性の導電材料が含有されてなるものが用いられ、例えば静電気力により記録材Ｐが吸着される構成とされている。
【０１０１】
この画像形成装置には、記録材搬送ベルト４７の内周面に接触して設けられ当該記録材搬送ベルト４７を循環移動させる駆動ローラ４３と、記録材搬送ベルト４７を介してこの駆動ローラ４３に押圧される押圧ローラ４２とを有する駆動機構（図示せず）が設けられている。駆動ローラ４３および押圧ローラ４２は、各々、例えばステンレスなどの導電性芯金の周面に、例えばポリウレタンゴム、エチレン−プロピレンゴム（ＥＰＤＭ）、シリコーンゴムなどのゴム材料などの弾性体よりなる最外層が形成されて構成されている。このような最外層の厚みは、例えば、５〜２０μｍの範囲である。
上記に説明したように、押圧ローラ４２は、記録材搬送ベルト４７の外周面に接触して設けられている。
【０１０２】
そして、本発明においては、転写手段４１Ｙ、４１Ｍ、４１Ｃ、４１Ｋのそれぞれの転写ローラ４１１Ｙ、４１１Ｍ、４１１Ｃ、４１１Ｋの全部における最外層は、導電性を有する弾性体に研磨性微粒子が含有されてなるものである。
この研磨性微粒子としては、第１の実施の形態に用いられるものと同様のものを用いることができる。
【０１０３】
また、この転写ローラ４１１Ｙ、４１１Ｍ、４１１Ｃ、４１１Ｋの表面に付着した付着物を除去するための、例えばポリエチレンテレフタラート製の板状のスクレーパ部材よりなる付着物除去機構が、この転写ローラ４１１Ｙ、４１１Ｍ、４１１Ｃ、４１１Ｋの表面における記録材搬送ベルト４７との当接位置よりも下流側において接触するよう設けられている。
【０１０４】
このような画像形成装置によれば、例えば記録材搬送ベルト４７の内周面にほこりなどの汚れが付着したとしても、この付着物は転写ローラ４１１Ｙ、４１１Ｍ、４１１Ｃ、４１１Ｋの研磨性微粒子による研磨作用によって除去されるので、転写工程において記録材搬送ベルト４７の外周面における転写領域において均質な転写電界を形成させることができるため、形成されたトナー像におけるすべての部分を記録材に確実に転写させることができ、その結果、形成される可視画像に白スジなどの画像欠陥が発生することを確実に抑止することができる。
【０１０５】
また、転写ローラ４１１Ｙ、４１１Ｍ、４１１Ｃ、４１１Ｋに接触してスクレーパ部材が設けられていることにより、繰り返し使用に伴って転写ローラ４１１Ｙ、４１１Ｍ、４１１Ｃ、４１１Ｋの表面に付着した付着物によって当該転写ローラ４１１Ｙ、４１１Ｍ、４１１Ｃ、４１１Ｋの研磨作用の程度が低下することや、転写ローラ４１１Ｙ、４１１Ｍ、４１１Ｃ、４１１Ｋの表面に付着した付着物が記録材搬送ベルト４７に再び付着することが抑止される。
【０１０６】
本実施の形態における画像形成装置は様々の変更を加えることができる。
例えば、転写ローラ４１１Ｙ、４１１Ｍ、４１１Ｃ、４１１Ｋの全部が、その最外層に研磨性微粒子が含有されてなる構成ではなく、転写ローラ４１１Ｙ、４１１Ｍ、４１１Ｃ、４１１Ｋのうちの一部が、その最外層に研磨性微粒子が含有されてなる構成であってもよい。
【０１０７】
＜第６の実施の形態＞
この画像形成装置は、駆動ローラ４３の最外層が、導電性を有する弾性体に研磨性微粒子が含有されてなる構成とされたものであり、この駆動ローラ４３には、当該駆動ローラ４３の表面に付着した付着物を除去するための、例えばポリエチレンテレフタラート製の板状のスクレーパ部材よりなる付着物除去機構が、当該駆動ローラ４３の表面における記録材搬送ベルト４７との当接位置よりも下流側において接触するよう設けられており、さらに、転写ローラ４１１Ｙ、４１１Ｍ、４１１Ｃ、４１１Ｋの全部においてその最外層に研磨性微粒子が含有されておらず、これらの転写ローラ４１１Ｙ、４１１Ｍ、４１１Ｃ、４１１Ｋに接触するスクレーパ部材が設けられていない以外は、第５の実施の形態における画像形成装置と同様の構成を有するものである。
【０１０８】
このような画像形成装置によれば、例えば記録材搬送ベルト４７の内周面にほこりなどの汚れが付着したとしても、この付着物は駆動ローラ４３の研磨性微粒子による研磨作用によって除去されるので、転写工程において各々のトナー像形成ユニット４０Ｙ、４０Ｍ、４０Ｃ、４０Ｋにおける像担持体の表面における転写領域に均質な転写電界を形成させることができるため、形成されたトナー像におけるすべての部分を記録材Ｐに確実に転写させることができ、その結果、形成される可視画像に白スジなどの画像欠陥が発生することを確実に抑止することができる。
【０１０９】
また、駆動ローラ４３に接触してスクレーパ部材が設けられていることにより、繰り返し使用に伴って駆動ローラ４３の表面に付着した付着物によって当該駆動ローラ４３の研磨作用の程度が低下することや、駆動ローラ４３の表面に付着した付着物が中間転写体１７に再び付着することが抑止される。
【０１１０】
＜第７の実施の形態＞
この画像形成装置は、押圧ローラ４２の最外層が、導電性を有する弾性体に研磨性微粒子が含有されてなる構成とされたものであり、この押圧ローラ４２には、押圧ローラ４２の表面に付着した付着物を除去する例えばポリエチレンテレフタラート製のスクレーパ部材よりなる付着物除去機構が、当該押圧ローラ４２の表面における記録材搬送ベルト４７との当接位置よりも下流側において接触するよう設けられており、さらに、転写ローラ４１４１Ｙ、４１１Ｍ、４１１Ｃ、４１１Ｋの全部においてその最外層に研磨性微粒子が含有されておらず、これらの転写ローラ４１１Ｙ、４１１Ｍ、４１１Ｃ、４１１Ｋに接触するスクレーパ部材が設けられていない以外は、第５の実施の形態における画像形成装置と同様の構成を有するものである。
【０１１１】
このような画像形成装置によれば、例えば記録材搬送ベルト４７の外周面にほこりや記録材として使用する転写紙が含有する填料や紙粉などの汚れが記録材搬送ベルト４７の外周面に付着しても、この付着物は押圧ローラ４２の研磨性微粒子による研磨作用によって除去されるので、転写工程において各々のトナー像形成ユニット４０Ｙ、４０Ｍ、４０Ｃ、４０Ｋにおける像担持体の表面における転写領域に均質な転写電界を形成させることができるため、形成されたトナー像におけるすべての部分を記録材Ｐに確実に転写させることができ、その結果、形成される可視画像に白スジなどの画像欠陥が発生することを確実に抑止することができる。
【０１１２】
また、押圧ローラ４２に接触してスクレーパ部材が設けられていることにより、繰り返し使用に伴って押圧ローラ４２の表面に付着した付着物によって当該押圧ローラ４２の研磨作用の程度が低下することや、押圧ローラ４２の表面に付着した付着物が記録材搬送ベルト４７に再び付着することが抑止される。
【実施例】
【０１１３】
以下に、本発明の効果を確認するために行った実施例について説明するが、本発明はこの実施例に限定されるものではない。
【０１１４】
＜実施例１＞
図１に示される構成に従って画像形成装置を製造した。具体的な構成は以下に示すとおりである。
【０１１５】
（１）像担持体としては、フタロシアニン顔料をポリカーボネートに分散させたものからなる厚みが２５μｍの感光層が、外径が６０ｍｍ、軸方向長さが３３２ｍｍ、肉厚が１ｍｍであるであるアルミニウム製のドラム状金属基体の外周面にて形成されてなる、負帯電特性を有する有機感光体よりなるものを用い、この像担持体が回転されるときの線速度の大きさを２２０ｍｍ／ｓｅｃに設定した。
【０１１６】
（２）帯電装置としては、正放電特性を有するスコロトロン帯電器よりなるものを用いた。
（３）露光装置としては、表面標準出力が３００μＷである半導体レーザ照射装置よりなるものを用いた。
（４）現像器としては、２成分現像方式のものを用いた。
（５）現像剤としては、１５質量％の割合でポリプロピレンよりなるワックスが添加され、重量平均粒径が６．５μｍ、形状係数が１．２０であるトナーが、４質量％の濃度で含有されたものを用いた。
【０１１７】
（６）転写手段としては、転写ローラによる接触転写方式のものを用い、転写ローラは、１次平均粒子径が４００ｎｍであるチタニアにより構成される微粒子が１質量％の割合で均一に分散されて含有された半導電性ゴムからなる、厚みが２０μｍである最外層が、ステンレス鋼よりなる円筒状の導電性芯金の外周面に形成されてなる、外径が３０ｍｍ、実抵抗値が４×１０7 Ωｃｍ、アスカーＣ硬度が６７°のものであり、この転写ローラの像担持体に対する押圧力を１０Ｎに設定し、転写電流印加装置により転写ローラに供給される電流値を５０μＡに設定した。
（７）スクレーパ部材としては、ポリエチレンテレフタラート製の板状のものを用い、転写ローラに接触するよう設置した。
【０１１８】
（８）定着装置としては、加熱ローラと加圧ローラとにより構成されてなる熱ローラ定着方式のものを用い、定着温度を２００℃に設定した。
【０１１９】
（９）クリーニング装置としては、ウレタンゴムよりなり、ＪＩＳ  Ａ硬度が６５°、２５℃で測定された反発弾性係数が５０％の板状のゴムブレードからなるものを用い、このゴムブレードの像担持体に対する押圧力を２９４ｍＮ／ｃｍ、像担持体に対する実効当接角を２０°に設定した。
（１０）分離装置としては、負帯電特性を有するコロトロン帯電器よりなるものを用いた。
【０１２０】
（１１）潤滑剤塗布手段としては、図２に示される構成を有するものであり、ブラシローラは、６．２５デニールの導電性アクリル繊維よりなるブラシ繊維が、１００ｋ本／ｉｎｃｈ2 の高密度に植設されてなる長尺の織布が、ローラ基体の周囲に螺旋状に巻きつけられてロール状に形成されてなる、外径が１２ｍｍ、軸方向長さが３３２ｍｍのものであり、このブラシローラは、像担持体の回転方向と逆方向に回転するよう設定され、その線速度を１３２ｍｍ／ｓｅｃに設定し、ブラシローラの像担持体に対する食い込み量を１．０ｍｍに、ブラシローラの回転速度を２５０ｒｐｍに設定した。
潤滑剤ストックは、縦８ｍｍ、高さ５ｍｍ、軸方向長さ３３２ｍｍ、鉛筆硬度がＨＢに相当する硬さの、ステアリン酸亜鉛からなる固形状のよりなるものを用い、当該潤滑剤ストックのブラシローラに対する押圧力を０．８Ｎに設定した。
【０１２１】
このような構成の画像形成装置において、記録材としてＡ４サイズの普通紙を用い非露光領域における像担持体の表面電位を−５０Ｖ、露光領域における像担持体の表面電位を０Ｖに設定し、常温常湿（温度２０±１℃、湿度５０±２％）環境下において合計２０万枚にわたる実写テストを行い、１枚目、１０万枚目および２０万枚目に係る出力画像の各々について白スジの発生の有無を目視で観察した。
【０１２２】
＜比較例１＞
転写ローラとして、チタニアにより構成される微粒子が含有されていない最外層を有するものを用いた他は実施例１と同様にして実写テストを行い、１枚目、１０万枚目および２０万枚目に係る出力画像の各々について白スジの発生の有無を目視で観察した。
【０１２３】
以上においては、実施例１に係る画像形成装置においては、１枚目、１０万枚目および２０万枚目に係る可視画像のいずれにも白スジが全く発生しておらず、良好な可視画像を得ることができることが確認された。
一方、比較例１に係る画像形成装置においては、２０万枚目に係る可視画像に白スジが観察され、また、画像形成動作後の中間転写体の内周面において、ホコリなどの汚れによるスジが発生していた。
【０１２４】
＜実施例２＞
図３の構成に従って本発明に係る画像形成装置を製造した。各色トナー像に係るトナー像形成ユニットの各々の具体的な構成は、転写手段およびスクレーパ部材以外は実施例１に係るものと同様の構成を有するものであり、中間転写体、１次転写手段、２次転写手段およびスクレーパ部材の具体的な構成は、以下に示す通りである。
【０１２５】
（１）互いに隣接するトナー像形成ユニットにおける像担持体の回転軸の軸間距離は９５ｍｍである。
（２）中間転写体としては、表面抵抗率が１×１０11Ω／□、ベルトの全周が８６１ｍｍ、幅が３６２ｍｍ、厚さが０．１ｍｍであるポリイミドよりなる無端状の半導電性樹脂ベルトからなるものを用い、このベルトの張力を４９Ｎに設定した。
【０１２６】
（３）１次転写手段としては、１次転写ローラによる接触転写方式のものを用い、１次転写ローラは、カーボンがシリコーン樹脂に分散されてなる発泡スポンジ状態の半導電性ゴムからなる最外層が、ステンレス鋼よりなる円筒状の導電性芯金の外周面に形成されてなる、外径が２０ｍｍ、実抵抗値が１×１０7 Ωｃｍ、アスカーＣ硬度が２５°のものである。この１次転写ローラの像担持体に対する押圧力を４．９Ｎに設定し、転写電流印加装置により転写ローラに供給される電流値を２０μＡに設定した。
【０１２７】
（４）２次転写手段としては、２次転写ローラによる接触転写方式のものを用い、２次転写ローラは、１次平均粒子径が４００ｎｍであるチタニアにより構成される微粒子が１質量％の割合で均一に分散されて含有された半導電性ゴムからなる、厚みが２０μｍである最外層が、ステンレス鋼よりなる円筒状の導電性芯金の外周面に形成されてなる、外径が３０ｍｍ、実抵抗値が４×１０7 Ωｃｍ、アスカーＣ硬度が６７°のものである。この２次転写ローラの中間転写体に対する押圧力を４９Ｎに設定し、転写電流印加装置により２次転写ローラに供給される電流値を５０μＡに設定した。
（５）スクレーパ部材としては、ポリエチレンテレフタラート製の板状のものを用い、２次転写ローラに接触するよう設置した。
【０１２８】
以上のような画像形成装置を用いて下記の実写テストを行った。結果を表１に示す。
【０１２９】
〔実写テスト〕
以上において、記録材としてＡ４サイズの普通紙を用い、各々のトナー像形成ユニットにおける非露光領域における像担持体の表面電位を−５０Ｖ、露光領域における像担持体の表面電位を０Ｖに設定し、常温常湿（温度２０±１℃、湿度５０±２％）環境下において合計２０万枚にわたる実写テストを行い、１枚目、１０万枚目および２０万枚目に係る出力画像の各々について、フィルミング現象の発生、クリーニング性能および転写性能の合計３つの評価項目について評価を行った。
【０１３０】
〔フィルミング現象の発生についての評価〕
形成された可視画像における白スジの発生の有無を目視で観察し、下記の基準に基づいて５段階のランク付けを行うことにより評価を行った。
「５」：白スジが全く発生していない場合
「４」：白スジがほとんど発生しておらず、実用が８０％以上で許容される場合
「３」：白スジが発生しているが、実用が５０％以上で許容される場合
「２」：白スジが発生しており、実用が許容される可能性が５０％未満である場合
「１」：白スジが顕著に発生しており実用に供さない場合
【０１３１】
〔クリーニング性能についての評価〕
形成された可視画像における背景汚れの発生の有無を目視で観察し、下記の基準に基づいて５段階のランク付けを行うことにより評価を行った。
「５」：背景汚れが全く発生していない場合
「４」：背景汚れがほとんど発生しておらず、実用が８０％以上で許容される場合
「３」：背景汚れが発生しているが、実用が５０％以上で許容される場合
「２」：背景汚れが発生しており、実用が許容される可能性が５０％未満である場合
「１」：背景汚れが顕著に発生しており実用に供さない場合
【０１３２】
〔転写性能についての評価〕
形成された可視画像における文字中ヌケの発生有無を目視で観察し、下記基準に基づいて５段階のランク付けを行うことにより評価を行った。
「５」：文字中ヌケが全く発生していない場合
「４」：文字中ヌケがほとんど発生しておらず、実用が８０％以上で許容される場合
「３」：文字中ヌケが発生しているが、実用が５０％以上で許容される場合
「２」：文字中ヌケが発生しており、実用が許容される可能性が５０％未満である場合  「１」：文字中ヌケが顕著に発生しており実用に供さない場合
【０１３３】
＜比較例２＞
２次転写手段における２次転写ローラとして、チタニアにより構成される微粒子が含有されていない最外層を有するものを用いたこと以外は、実施例２と同様の構成を有する画像形成装置において、実施例２と同様にして実写テストを行った。結果を表１に示す。
【０１３４】
＜参考例１＞
２次転写手段における２次転写ローラとして、チタニアにより構成される微粒子が含有されていない最外層を有するものを用い、各色のトナー像に係る像担持体および中間転写体に潤滑剤を塗布する潤滑剤塗布手段の各々を設けなかったこと以外は、実施例２と同様の構成を有する画像形成装置において、実施例２と同様にして実写テストを行った。結果を表１に示す。
【０１３５】
【表１】
2005215600.tif 000002
【０１３６】
表１に示されるように、実施例２に係る画像形成装置においては、フィルミング現象が発生することなく、また、クリーニング性能および転写性能が良好であり、良好な可視画像を得ることができた。
一方、比較例２に係る画像形成装置においてはフィルミング現象が発生し、また、参考例１に係る画像形成装置においては白スジが観察され、また、文字中ヌケも観察され、良好な可視画像を得ることができなかった。
【０１３７】
＜実施例３＞
実施例２で用いた画像形成装置において、１次転写手段における１次転写ローラとして、１次平均粒子径が４００ｎｍであるチタニアにより構成される微粒子が１質量％の割合で均一に分散されて含有された半導電性ゴムからなる、厚みが１０μｍである最外層を有するものを用い、２次転写手段における２次転写ローラとして、チタニアにより構成される微粒子が含有されていない最外層を有するものを用いるともに、２次転写ローラに接触するスクレーパ部材を設置する代わりに、１次転写ローラの表面における中間転写体との当接位置よりも下流側に、ポリエチレンテレフタラート製の板状のスクレーパ部材を当該１次転写ローラに接触するよう設置し、さらに、中間転写体として表面抵抗率が１×１０12Ω／□、厚さが０．１ｍｍ、全周が８６１ｍｍ、幅が３６２ｍｍであるポリイミドよりなる無端状の半導電性樹脂ベルトを用いたこと以外は、実施例２と同様の構成を有する画像形成装置を用い、記録材としてＡ４サイズの普通紙を用い、各々のトナー像形成ユニットにおける非露光領域における像担持体の表面電位を−５０Ｖ、露光領域における像担持体の表面電位を０Ｖに設定し、常温常湿（温度２０±１℃、湿度５０±２％）環境下において合計２０万枚にわたる実写テストを行い、１枚目、１０万枚目および２０万枚目に係る出力画像の各々について白スジの発生の有無を目視で観察した。
【０１３８】
＜比較例３＞
１次転写ローラとして、チタニアにより構成される微粒子が含有されていない最外層を有するものを用い、スクレーパ部材が設置されていない他は実施例３と同様にして実写テストを行い、１枚目、１０万枚目および２０万枚目に係る出力画像の各々について白スジの発生の有無を目視で観察した。
【０１３９】
以上においては、実施例３に係る画像形成装置においては、１枚目、１０万枚目および２０万枚目に係る可視画像のいずれにも白スジが全く発生しておらず、良好な可視画像を得ることができることが確認された。また、画像形成動作後の中間転写体の内周面にも画像形成装置内部のホコリなどの汚れによるスジが発生していないことが確認された。
一方、比較例３に係る画像形成装置においては、２０万枚目に係る可視画像に白スジが観察され、また、画像形成動作後の中間転写体の内周面において、ホコリなどの汚れによるスジが発生していた。
【０１４０】
＜実施例４＞
実施例２で用いた画像形成装置において、２次転写手段におけるバックアップローラとして、１次平均粒子径が４００ｎｍであるチタニアにより構成される微粒子が１質量％の割合で均一に分散されて含有されてなる、厚みが２０μｍである最外層を有するものを用い、２次転写手段における２次転写ローラとして、チタニアにより構成される微粒子が含有されていない最外層を有するものを用いるともに、２次転写ローラに接触するスクレーパ部材を設置する代わりに、バックアップローラの表面における中間転写体との当接位置よりも下流側に、ポリエチレンテレフタラート製の板状のスクレーパ部材を当該１次転写ローラに接触するよう設置し、さらに、中間転写体として表面抵抗率が１×１０12Ω／□、厚さが０．１ｍｍ、全周が８６１ｍｍ、幅が３６２ｍｍであるポリイミドよりなる無端状の半導電性樹脂ベルトを用いたこと以外は、実施例２と同様の構成を有する画像形成装置を用い、実施例３と同様にして実写テストを行い、１枚目、１０万枚目および２０万枚目に係る出力画像の各々について白スジの発生の有無を目視で観察した。
【０１４１】
＜比較例４＞
バックアップローラとして、チタニアにより構成される微粒子が含有されていない最外層を有するものを用いた他は実施例４と同様にして実写テストを行い、１枚目、１０万枚目および２０万枚目に係る出力画像の各々について白スジの発生の有無を目視で観察した。
【０１４２】
以上においては、実施例４に係る画像形成装置においては、１枚目、１０万枚目および２０万枚目に係る可視画像のいずれにも白スジが全く発生しておらず、良好な可視画像を得ることができることが確認された。また、画像形成動作後の中間転写体の内周面にも画像形成装置内部のホコリなどの汚れによるスジが発生していないことが確認された。
一方、比較例４に係る画像形成装置においては、２０万枚目に係る可視画像に白スジが観察され、また、画像形成動作後の中間転写体の内周面において、ホコリなどの汚れによるスジが発生していた。
【０１４３】
＜実施例５＞
図４の構成に従って本発明に係る画像形成装置を製造した。各色トナー像に係るトナー像形成ユニットの各々の具体的な構成は、潤滑材塗布装置、転写手段およびスクレーパ部材以外は実施例１に係るものと同様の構成を有するものであり、記録材搬送ベルト、駆動ローラ、押圧ローラ、スクレーパ部材、転写手段および潤滑剤塗布手段の具体的な構成は、以下に示す通りである。
【０１４４】
（１）記録材搬送ベルトとしては、表面抵抗率が１×１０12Ω／□であり、厚さが０．１ｍｍであるポリイミドよりなる無端状の半導電性樹脂ベルトを用いた。この記録材搬送ベルトの全周長は８６１ｍｍ、幅は３６２ｍｍであった。
【０１４５】
（２）駆動ローラとしては、ステンレス鋼よりなる芯金の表面に、発泡スポンジ状のポリウレタンゴムよりなる最外層が形成されてなる、外径が３０ｍｍであるものを用いた。
（３）押圧ローラとしては、１次平均粒子径が４００ｎｍであるチタニアにより構成される微粒子が１質量％の割合で均一に分散されて含有された半導電性ゴムからなる、厚みが２０μｍである最外層が、ステンレス鋼よりなる円筒状の導電性芯金の外周面に形成されてなる、外径が３０ｍｍであるものを用いた。この押圧ローラの記録材搬送ベルトに対する押圧力を４０Ｎに設定した。
（４）スクレーパ部材としては、ポリエチレンテレフタラート製の板状のものを用い、押圧ローラに接触するよう設置した。
【０１４６】
（５）転写手段は、転写ローラによる接触転写方式である。転写ローラは、半導電性ゴムからなる最外層が、ステンレス鋼よりなる円筒状の導電性芯金の外周面に形成されてなる、外径が２０ｍｍ、実抵抗値が１×１０6 Ωｃｍ、アスカーＣ硬度が２５°のものであり、像担持体に対する押圧力が４．９Ｎに設定されている。転写電流印加装置により転写ローラに印加される電流値は２０μＡに設定されている。
【０１４７】
（６）潤滑剤塗布手段における潤滑剤ストックとして、チタン酸ストロンチウム粉末が１質量％含有されてなるものを用いた以外は実施例１に係る潤滑剤塗布手段と同様の構成を有するものを用いた。
【０１４８】
以上の構成を有する画像形成装置において、実施例２と同様の実写テストを行い、フィルミング現象の発生およびクリーニング性能について実施例２と同様の評価を行った。結果を表２に示す。
【０１４９】
＜比較例５＞
押圧ローラおよびスクレーパ部材を設置しなかったこと以外は、実施例５と同様の構成を有する画像形成装置において、実施例５と同様の実写テストを行い、フィルミング現象の発生およびクリーニング性能について実施例２と同様の評価を行った。結果を表２に示す。
【０１５０】
＜参考例２＞
押圧ローラおよび各色のトナー像に係る像担持体に潤滑剤を塗布する各々の潤滑剤塗布手段を設置しなかったこと以外は、実施例５と同様の構成を有する画像形成装置において、実施例５と同様の実写テストを行い、フィルミング現象の発生およびクリーニング性能について実施例２と同様の評価を行った。結果を表２に示す。
【０１５１】
【表２】
2005215600.tif 000003
【０１５２】
表２に示されるように、実施例５に係る画像形成装置においては、フィルミング現象が発生することなく、また、クリーニング性能が良好であり、これにより、良好な可視画像を得ることができた。
一方、比較例５に係る画像形成装置においてはフィルミング現象が発生し、また、参考例２に係る画像形成装置においてはクリーニング不良により良好な可視画像を得ることができなかった。
【０１５３】
＜実施例６＞
駆動ローラとして、１次平均粒子径が４００ｎｍであるチタニアにより構成される微粒子が１質量％の割合で分散されて含有されてなる、厚みが１０μｍである最外層を有するものを用い、押圧ローラとして、チタニアにより構成される微粒子が含有されていない最外層を有するものを用いるともに、押圧ローラに接触するスクレーパ部材を設置する代わりに、駆動ローラの表面における記録材搬送ベルトとの当接位置よりも下流側にポリエチレンテレフタラート製のスクレーパ部材を当該駆動ローラに接触するよう設置したこと以外は、実施例５と同様の構成を有する画像形成装置を用い、記録材としてＡ４サイズの普通紙を用い、各々のトナー像形成ユニットにおける非露光領域における像担持体の表面電位を−５０Ｖ、露光領域における像担持体の表面電位を０Ｖに設定し、常温常湿（温度２０±１℃、湿度５０±２％）環境下において合計２０万枚にわたる実写テストを行い、１枚目、１０万枚目および２０万枚目に係る出力画像の各々について白スジの発生の有無を目視で観察した。
【０１５４】
＜比較例６＞
駆動ローラとして、チタニアにより構成される微粒子が含有されていない最外層を有するものを用いた他は実施例６と同様にして実写テストを行い、１枚目、１０万枚目および２０万枚目に係る出力画像の各々について白スジの発生の有無を目視で観察した。
【０１５５】
以上においては、実施例６に係る画像形成装置においては、１枚目、１０万枚目および２０万枚目に係る可視画像のいずれにも白スジが全く発生しておらず、良好な可視画像を得ることができることが確認された。また、画像形成動作後の記録材搬送ベルトの内周面にも画像形成装置内部のホコリなどの汚れによるスジが発生していないことが確認された。
一方、比較例６に係る画像形成装置においては、２０万枚目に係る可視画像に白スジが観察され、また、画像形成動作後の記録材搬送ベルトの内周面において、ホコリなどの汚れによるスジが発生していた。
【０１５６】
＜実施例７＞
実施例５で用いた画像形成装置において、転写手段における転写ローラとして、チタニアにより構成される微粒子が１質量％の割合で均一に分散されて含有されてなる、厚みが２０μｍである最外層を有するものを用い、駆動機構における押圧ローラとして、チタニアにより構成される微粒子が含有されていない最外層を有するものを用いるともに、押圧ローラに接触するスクレーパ部材を設置する代わりに、転写ローラの表面における記録材搬送ベルトとの当接位置よりも下流側に、ポリエチレンテレフタラート製の板状のスクレーパ部材を当該転写ローラに接触するよう設置したこと以外は、実施例５と同様の構成を有する画像形成装置を用い、実施例６と同様にして実写テストを行い、１枚目、１０万枚目および２０万枚目に係る出力画像の各々について白スジの発生の有無を目視で観察した。
【０１５７】
＜比較例７＞
転写ローラとして、チタニアにより構成される微粒子が含有されていない最外層を有するものを用いた他は実施例７と同様にして実写テストを行い、１枚目、１０万枚目および２０万枚目に係る出力画像の各々について白スジの発生の有無を目視で観察した。
【０１５８】
以上においては、実施例７に係る画像形成装置においては、１枚目、１０万枚目および２０万枚目に係る可視画像のいずれにも白スジが全く発生しておらず、良好な可視画像を得ることができることが確認された。また、画像形成動作後の記録材搬送ベルトの内周面にも画像形成装置内部のホコリなどの汚れによるスジが発生していないことが確認された。
一方、比較例７に係る画像形成装置においては、２０万枚目に係る可視画像に白スジが観察され、また、画像形成動作後の記録材搬送ベルトの内周面において、ホコリなどの汚れによるスジが発生していた。
【０１５９】
以上、本発明について説明したが、本発明の画像形成装置においては、上記の態様に限定されるものではなく、種々の変更を行うことができる。
例えば、中間転写方式の画像形成装置において、中間転写体の内周面または外周面に接触して設けられたローラの全て、あるいはそれらのうちの一部が、その最外層に研磨性微粒子が含有されてなるものである構成とすることができる。
また、例えば、ベルト転写方式の画像形成装置において、記録材搬送ベルトの内周面または外周面に接触して設けられたローラの全て、あるいはそれらのうちの一部が、その最外層に研磨性微粒子が含有されてなるものである構成とすることができる。
【図面の簡単な説明】
【０１６０】
【図１】本発明の画像形成装置の構成の一例を示す説明図である。
【図２】図１の画像形成装置における潤滑剤塗布手段の構成の一例を示す説明図である。
【図３】本発明を適用したカラー画像形成装置の構成の一例を示す説明図である。
【図４】本発明を適用したカラー画像形成装置の他の構成の一例を示す説明図である。
【符号の説明】
【０１６１】
１０、１０Ｙ、１０Ｍ、１０Ｃ、１０Ｋ  像担持体
１１、１１Ｙ、１１Ｍ、１１Ｃ、１１Ｋ  帯電装置
１２、１２Ｙ、１２Ｍ、１２Ｃ、１２Ｋ  露光装置
１３、１３Ｙ、１３Ｍ、１３Ｃ、１３Ｋ  現像器
１３１  現像スリーブ
１４  転写手段
１４１  転写ローラ
１４２  転写電流供給装置
１４Ｙ、１４Ｍ、１４Ｃ、１４Ｋ  １次転写手段
１４１Ｙ、１４１Ｍ、１４１Ｃ、１４１Ｋ  １次転写ローラ
１４Ｓ  ２次転写手段
１４１Ｓ  ２次転写ローラ
１４２Ｓ  バックアップローラ
１５  分離装置
１６  定着装置
１６１  加熱ローラ
１６２  加圧ローラ
１７  中間転写体
１９  スクレーパ部材
２０、２０Ｙ、２０Ｍ、２０Ｃ、２０Ｋ、２０Ｓ  クリーニング装置
２０１  ゴムブレード
２１Ｙ、２１Ｍ、２１Ｃ、２１Ｋ  トナー像形成ユニット
３０、３０Ｙ、３０Ｍ、３０Ｃ、３０Ｋ、３０Ｓ  潤滑剤塗布手段
３０ａ  掻取領域
３０ｂ  塗布領域
３１  ブラシローラ
３２  潤滑剤ストック
３３  押圧装置
４０Ｙ、４０Ｍ、４０Ｃ、４０Ｋ  トナー像形成ユニット
４１Ｙ、４１Ｍ、４１Ｃ、４１Ｋ  転写手段
４１１Ｙ、４１１Ｍ、４１１Ｃ、４１１Ｋ  転写ローラ
４２Ｙ、４２Ｍ、４２Ｃ、４２Ｋ  像担持体
４２  押圧ローラ
４３  駆動ローラ
４７  記録材搬送ベルト
Ｎ  転写ニップ部
Ｐ  記録材
【図１】
2005215600.tif 000004
【図２】
2005215600.tif 000005
【図３】
2005215600.tif 000006
【図４】
2005215600.tif 000007